(57)【要約】      （修正有）【解決手段】本発明は、無線電力送信装置１００が、無線電力受信装置２００からの開始信号を受信する段階と、開始信号を受信すると、非アクティブになっていた電源ブロックをアクティブにすると共に無線電力送信信号を無線電力送信装置の送信コイルを介して無線電力受信装置に送信する段階と、を含む。【効果】無線充電を開始する前に電源ブロックを非アクティブにし、無線電力受信装置からの開始信号により無線電力送信装置の電源ブロックをアクティブにするので、無線電力充電前の待機電力の消費を防止することができる。【選択図】図２
2019083683.tif 000002
【特許請求の範囲】
【請求項１】
無線電力受信装置からの開始信号を受信する段階と、
前記開始信号が受信されると、非アクティブになっていた電源ブロックをアクティブにすると共に無線電力送信信号を無線電力送信装置の送信コイルを介して前記無線電力受信装置に送信する段階と、を含む、
共振型無線電力伝送システムにおける無線電力伝送制御方法。
【請求項２】
前記開始信号を近距離通信モジュールにより受信する段階を含む、請求項１に記載の共振型無線電力伝送システムにおける無線電力伝送制御方法。
【請求項３】
前記開始信号が受信されると、非アクティブになっていた電源ブロックをアクティブにすると共に無線電力送信信号を送信コイルを介して前記無線電力受信装置に送信する段階は、
前記近距離通信モジュールにより受信される前記無線電力受信装置のＩＤ信号に基づいて、無線電力信号を前記無線電力受信装置に送信する段階を含む、
請求項２に記載の共振型無線電力伝送システムにおける無線電力伝送制御方法。
【請求項４】
前記無線電力送信装置のオブジェクト検知部により外部物体が検知されるか否かを判断する段階と、
前記外部物体が検知され、前記開始信号が受信されないと、前記無線電力送信装置のアラームモジュールを動作させる段階と、
をさらに含む、
請求項１に記載の共振型無線電力伝送システムにおける無線電力伝送制御方法。
【請求項５】
前記開始信号が受信されるのではなく、前記無線電力送信装置のユーザ入力部の開始信号が入力されると、前記無線電力信号を前記無線電力送信装置の送信コイルを介して送信する段階をさらに含む、請求項１に記載の共振型無線電力伝送システムにおける無線電力伝送制御方法。
【請求項６】
前記開始信号が受信されると、非アクティブになっていた電源ブロックをアクティブにすると共に無線電力送信信号を無線電力送信装置の送信コイルを介して前記無線電力受信装置に送信する段階は、
前記無線電力受信装置からの電力送信要求信号を受信する段階と、
前記電力送信要求信号が受信されると、前記無線電力受信装置のインピーダンスマッチング部の共振周波数と同じ周波数を有する無線電力信号を前記送信コイルを介して送信する段階と、を含む、
請求項１に記載の共振型無線電力伝送システムにおける無線電力伝送制御方法。
【請求項７】
前記無線電力受信装置からの電力送信要求信号を受信する段階は、
前記電力送信要求信号を近距離通信モジュールにより受信する段階を含む、
請求項６に記載の共振型無線電力伝送システムにおける無線電力伝送制御方法。
【請求項８】
無線電力受信装置に無線電力信号を送信するための送信コイルと、
前記無線電力受信装置からの開始信号を受信するために構成される通信部と、
電源を供給するための電源ブロックと、
前記通信部により前記開始信号が受信されると、非アクティブになっていた前記電源ブロックをアクティブにすると共に前記無線電力送信信号を前記送信コイルを介して前記無線電力受信装置に送信する送信制御部と、を含む、
無線電力送信装置。
【請求項９】
前記通信部は、近距離通信モジュールを含む、請求項８に記載の無線電力送信装置。
【請求項１０】
前記送信制御部は、
前記近距離通信モジュールにより受信される前記無線電力受信装置のＩＤ信号に基づいて、無線電力信号を前記無線電力受信装置に送信する、
請求項９に記載の無線電力送信装置。
【請求項１１】
外部物体を検知するために構成されるオブジェクト検知部と、
アラームモジュールと、をさらに含み、
前記送信制御部は、
前記オブジェクト検知部により前記外部物体が検知され、前記開始信号が受信されないと、前記無線電力送信装置のアラームモジュールを動作させる、
請求項８に記載の無線電力送信装置。
【請求項１２】
開始信号を入力するためのユーザ入力部をさらに含み、
前記送信制御部は、
前記通信部により前記開始信号が受信されるのではなく、前記ユーザ入力部の開始信号が入力されると、前記電源ブロックをアクティブにして前記送信コイルを介して前記無線電力受信装置に送信するように制御する、
請求項８に記載の無線電力送信装置。
【請求項１３】
前記送信制御部は、
前記通信部により電力送信要求信号を受信し、前記電力送信要求信号が受信されると、前記無線電力受信装置のインピーダンスマッチング部の共振周波数と同じ周波数を有する無線電力信号を前記送信コイルを介して送信するように制御する、
請求項８に記載の無線電力送信装置。
【請求項１４】
近距離通信モジュールをさらに含み、
前記送信制御部は、
前記近距離通信モジュールにより前記電力送信要求信号を受信する、
請求項１３に記載の無線電力送信装置。
【請求項１５】
無線電力送信信号を受信する受信コイルと、
前記受信コイルと無線電力送信装置の送信コイルとの共振のために構成されるインピーダンスマッチング部と、
前記無線電力送信装置に開始信号を送信するために構成される通信モジュールと、
前記インピーダンスマッチング部からの電力信号を受信して直流電力を出力する電源ブロックと、
前記電源ブロックを制御する電源制御ブロックと、
前記電源ブロックからの直流電力により充電されるバッテリと、
前記通信モジュールを制御して前記無線電力送信装置に前記開始信号を送信し、前記無線電力送信装置からの無線電力信号が受信されると、前記電源制御ブロックを制御して前記バッテリを充電する受信制御部と、を含む、
無線電力受信装置。
【発明の詳細な説明】
【技術分野】
【０００１】
本発明は、共振型無線電力伝送システムにおける無線電力伝送制御方法、それを用いる無線電力送信装置、及びそれを用いる無線電力受信装置に関する。
【背景技術】
【０００２】
一般に、バッテリパック（Battery pack）は、外部の充電器から電力（電気エネルギー）が供給されて充電された状態で携帯用端末機（携帯電話やＰＤＡなど）の作動のための電源を供給するためのものであって、電気エネルギーが充電されるバッテリセル、前記バッテリセルの充電及び放電（携帯用端末機への電気エネルギーの供給）のための回路などから構成されている。
【０００３】
このように携帯用端末機に用いられるバッテリパックと当該バッテリパックに電気エネルギーを充電するための充電器との電気的接続方式には、供給される商用電源をバッテリパックに対応する電圧及び電流に変換して電気エネルギーを当該バッテリパックの端子を介してバッテリパックに供給する端子供給方式がある。
【０００４】
しかし、このような端子供給方式で電源を供給する場合は、両端子（バッテリパックの端子と充電器の端子）間に電位差があり、バッテリパックと充電器を接触又は分離する際に瞬間放電現象が発生するという問題があった。
【０００５】
特に、瞬間放電現象などにより、両端子に異物が溜まっている場合は火災などが発生する恐れがあった。
【０００６】
また、湿気などによりバッテリパックに充電された電気エネルギーが当該バッテリパックの端子を介して外部に自然放電されるなどの問題があることは言うまでもなく、それによりバッテリパックの寿命や性能の低下を招くという欠点もあった。
【０００７】
近年、上記問題を解決するために、無線電力伝送方式を用いた無接点方式の充電システム及び制御方法が提示されている。
【発明の概要】
【発明が解決しようとする課題】
【０００８】
本発明は、共振型無線電力伝送システムにおいて無線電力送信信号を送信する前に無線電力受信装置を検知するための時間である待機時間に消費される待機電流を低減してエネルギー効率を向上させた、共振型無線電力伝送システムにおける無線電力伝送制御方法、それを用いる無線電力送信装置、及びそれを用いる無線電力受信装置を提供することを目的とする。
【課題を解決するための手段】
【０００９】
上記課題を解決するために、本発明の一実施形態による共振型無線電力伝送システムにおける無線電力伝送制御方法は、無線電力受信装置からの開始信号を受信する段階と、前記開始信号が受信されると、非アクティブになっていた電源ブロックをアクティブにすると共に無線電力送信信号を無線電力送信装置の送信コイルを介して前記無線電力受信装置に送信する段階とを含んでもよい。
【００１０】
ここで、前記無線電力受信装置からの開始信号を受信する段階は、前記開始信号を近距離通信モジュールにより受信する段階を含んでもよい。
【００１１】
ここで、前記開始信号が受信されると、非アクティブになっていた電源ブロックをアクティブにすると共に無線電力送信信号を送信コイルを介して前記無線電力受信装置に送信する段階は、前記近距離通信モジュールにより受信される前記無線電力受信装置のＩＤ信号に基づいて、無線電力信号を前記無線電力受信装置に送信する段階を含んでもよい。
【００１２】
ここで、前記共振型無線電力伝送システムにおける無線電力伝送制御方法は、前記無線電力送信装置のオブジェクト検知部により外部物体が検知されるか否かを判断する段階と、前記外部物体が検知され、前記開始信号が受信されないと、前記無線電力送信装置のアラームモジュールを動作させる段階とをさらに含んでもよい。
【００１３】
ここで、前記共振型無線電力伝送システムにおける無線電力伝送制御方法は、前記開始信号が受信されるのではなく、前記無線電力送信装置のユーザ入力部の開始信号が入力されると、前記無線電力信号を前記無線電力送信装置の送信コイルを介して送信する段階をさらに含んでもよい。
【００１４】
ここで、前記開始信号が受信されると、非アクティブになっていた電源ブロックをアクティブにすると共に無線電力送信信号を無線電力送信装置の送信コイルを介して前記無線電力受信装置に送信する段階は、前記無線電力受信装置からの電力送信要求信号を受信する段階と、前記電力送信要求信号が受信されると、前記無線電力受信装置のインピーダンスマッチング部の共振周波数と同じ周波数を有する無線電力信号を前記送信コイルを介して送信する段階とを含んでもよい。
【００１５】
ここで、前記無線電力受信装置からの電力送信要求信号を受信する段階は、前記電力送信要求信号を近距離通信モジュールにより受信する段階を含んでもよい。
【００１６】
本発明の他の実施形態による無線電力送信装置は、無線電力受信装置に無線電力信号を送信するための送信コイルと、前記無線電力受信装置からの開始信号を受信するために構成される通信部と、電源を供給するための電源ブロックと、前記通信部により前記開始信号が受信されると、非アクティブになっていた前記電源ブロックをアクティブにすると共に前記無線電力送信信号を前記送信コイルを介して前記無線電力受信装置に送信する送信制御部とを含んでもよい。
【００１７】
ここで、前記通信部は、近距離通信モジュールを含んでもよい。
【００１８】
ここで、前記送信制御部は、前記近距離通信モジュールにより受信される前記無線電力受信装置のＩＤ信号に基づいて、無線電力信号を前記無線電力受信装置に送信するようにしてもよい。
【００１９】
ここで、前記無線電力送信装置は、外部物体を検知するために構成されるオブジェクト検知部と、アラームモジュールとをさらに含み、前記送信制御部は、前記オブジェクト検知部により前記外部物体が検知され、前記開始信号が受信されないと、前記無線電力送信装置のアラームモジュールを動作させるようにしてもよい。
【００２０】
ここで、前記無線電力送信装置は、開始信号を入力するためのユーザ入力部をさらに含み、前記送信制御部は、前記通信部により前記開始信号が受信されるのではなく、前記ユーザ入力部の開始信号が入力されると、前記電源ブロックをアクティブにして前記送信コイルを介して前記無線電力受信装置に送信するように制御してもよい。
【００２１】
ここで、前記送信制御部は、前記通信部により電力送信要求信号を受信し、前記電力送信要求信号が受信されると、前記無線電力受信装置のインピーダンスマッチング部の共振周波数と同じ周波数を有する無線電力信号を前記送信コイルを介して送信するように制御してもよい。
【００２２】
ここで、前記無線電力送信装置は、近距離通信モジュールをさらに含み、前記送信制御部は、前記近距離通信モジュールにより前記電力送信要求信号を受信するようにしてもよい。
【００２３】
本発明のさらに他の実施形態による無線電力受信装置は、無線電力送信信号を受信する受信コイルと、前記受信コイルと無線電力送信装置の送信コイルとの共振のために構成されるインピーダンスマッチング部と、前記無線電力送信装置に開始信号を送信するために構成される通信モジュールと、前記受信コイルからの電力信号を受信して直流電力を出力する電源ブロックと、前記電源ブロックを制御する電源制御ブロックと、前記電源ブロックからの直流電力により充電されるバッテリと、前記通信モジュールを制御して前記無線電力送信装置に前記開始信号を送信し、前記無線電力送信装置からの無線電力信号が受信されると、前記電源制御ブロックを制御して前記バッテリを充電する受信制御部とを含んでもよい。
【発明の効果】
【００２４】
前述した構成を有する本発明の一実施形態によれば、無線充電を開始する前に電源ブロックを非アクティブにし、無線電力受信装置からの開始信号により無線電力送信装置の電源ブロックをアクティブにするので、無線電力充電前の待機電力の消費を防止することができる。共鳴方式の無線電力送信装置の場合、常時放射により電力消費が多い構造的環境下に置かれているので、このような待機電力の低減はシステム全体の電力効率を向上させることができる有用性を有する。
【００２５】
また、無線電力受信装置のバッテリが放電されて開始信号を送信できない場合も、ユーザの選択により無線充電を開始することができる。
【図面の簡単な説明】
【００２６】
【図１】本発明の一実施形態による共振型無線電力伝送システムの電子的構成を示すブロック構成図である。
【図２】本発明の一実施形態による共振型無線電力伝送システムにおける無線電力伝送制御方法の第１例を説明するためのフローチャートである。
【図３】本発明の一実施形態による共振型無線電力伝送システムにおける無線電力伝送制御方法の第２例を説明するためのフローチャートである。
【発明を実施するための形態】
【００２７】
以下、本発明による共振型無線電力伝送システムにおける無線電力伝送制御方法、それを用いる無線電力送信装置、及びそれを用いる無線電力受信装置について図面を参照してより詳細に説明する。
【００２８】
本発明による共振型無線電力伝送システムは、電磁誘導を利用する非接触無線電力システム及び近距離無線電力方式である磁気共鳴方式の無線電力伝送システムを含む概念である。
【００２９】
図１は本発明の一実施形態による共振型無線電力伝送システムの電子的構成を示すブロック構成図である。図示のように、本発明の一実施形態による共振型無線電力伝送システムは、大きく無線電力送信装置１００と無線電力受信装置２００とから構成されてもよい。
【００３０】
無線電力送信装置１００は、無線電力信号を無線電力受信装置２００に送信する装置であり、無線電力受信装置２００は、無線電力送信装置１００からの無線電力信号を受信し、それを整流して動作電源として用いたりバッテリ２４０を充電する装置である。
【００３１】
図１に示すように、無線電力送信装置１００は、送信コイル１１０、インピーダンスマッチングブロック１２０、インバータブロック１３０、電源ブロック１３１、電源制御ブロック１４０、ユーザ入力部１５０、アラームモジュール１６０、オブジェクト検知部１７０、通信モジュール１８０及び送信制御部１９０を含んでもよい。
【００３２】
送信コイル１１０は、磁気共鳴方式又は電磁誘導方式で電力信号を無線電力受信装置２００の受信コイル２１０に送信するための装置である。このような送信コイル１１０としては、その送信特性に応じてトラック形、楕円形、四角形、円形コイルを用いることができる。
【００３３】
インピーダンスマッチングブロック１２０は、送信コイル１１０と無線電力受信装置２００の受信コイル２１０との共振のために送信コイル１１０のインピーダンスを制御するための構成要素である。本発明においては、図示のように無線電力受信装置２００もインピーダンスマッチングブロック２２０を含むようにし、送信コイル１１０と受信コイル２１０との共振をより効率的に制御できるようにする。
【００３４】
インバータブロック１３０は、インピーダンスマッチングブロック１２０を介して送信コイル１１０に電力信号を伝達するための構成要素である。すなわち、インバータブロック１３０は、電源ブロック１３１から供給される直流電源をスイッチングして交流電力を生成し、それを送信コイル１１０に伝達する。
【００３５】
電源ブロック１３１は、アダプタ（図示せず）などの外部電源からの電源をインバータブロック１３０に供給する機能を有する。電源ブロック１３１は、図示のように、電源制御ブロック１４０又は送信制御部１９０により制御される。
【００３６】
ユーザ入力部１５０は、本発明において、電源ブロック１３１及びインバータブロック１３０をアクティブにする命令である開始信号を発生させるための構成要素である。前記開始信号による動作については図３でより詳細に説明する。
【００３７】
アラームモジュール１６０は、後述するオブジェクト検知部１７０により外部物体が検知されたが無線電力受信装置２００からの開始信号が受信されないので無線充電が開始されない場合、それをユーザに通知する装置である。ユーザは、アラームモジュール１６０の動作により、無線充電が行われていないことを確認すると、ユーザ入力部１５０により開始信号を発生させて無線充電が行われるようにすることができる。
【００３８】
オブジェクト検知部１７０としては、赤外線検知センサ、超音波検知センサなどを用いることができる。
【００３９】
通信モジュール１８０は、無線電力受信装置２００の通信モジュール２６０からの開始信号（ウェイクアップ信号）を受信するための構成要素である。通信モジュール１８０としては、近距離通信モジュールであるブルートゥース、ジグビー、ＲＦＩＤ、赤外線通信
、ＷＬＡＮなどを用いることができる。
【００４０】
送信制御部１９０は、通信モジュール１８０により受信される開始信号に基づいて、非アクティブになっていた電源ブロック１３１及びインバータブロック１３０をアクティブにし、それにより無線電力信号を送信コイル１１０を介して送信するように制御する機能を有する。送信制御部１９０は、近距離通信モジュール１８０により受信される無線電力受信装置２００のＩＤ信号を受信し、それに基づいて無線電力信号を送信させる。送信制御部１９０の動作については図２及び図３でより詳細に説明する。
【００４１】
一方、無線電力受信装置２００は、受信コイル２１０、インピーダンスマッチングブロック２２０、電源ブロック２３０、バッテリ２４０、電源制御ブロック２５０、通信モジュール２６０及び受信制御部２７０を含んでもよい。
【００４２】
受信コイル２１０は、無線電力送信装置１００からの無線電力信号を受信するための装置であり、その受信特性に応じてトラック形、楕円形、四角形、円形コイルを用いることができる。
【００４３】
インピーダンスマッチングブロック２２０は、送信コイル１１０と受信コイル２１０との共振のための構成要素である。前述したように、本発明においては、無線電力送信装置１００にもインピーダンスマッチングブロック１２０が設けられており、より効率的に共振が起こることになる。
【００４４】
電源ブロック２３０は、インピーダンスマッチングブロック２２０を介して受信される交流電力をバッテリ２４０の充電のための直流電力に変換する、整流部としての機能を有する。すなわち、電源ブロック２３０により、受信コイル２１０を介して受信された無線電力信号によって発生する交流電源が定電圧又は定電流に変換され、その定電圧又は定電流でバッテリ２４０を充電する。電源ブロック２３０は、電源制御ブロック２５０又は受信制御部２７０により制御される。
【００４５】
通信モジュール２６０は、無線電力送信装置１００に開始信号を送信するための構成要素であり、無線電力送信装置１００の通信モジュール１８０に開始信号を送信し、無線電力送信装置１００の非アクティブになっていた電源ブロック１３１及びインバータブロック１３０をアクティブにする。
【００４６】
受信制御部２８０は、無線電力受信装置２００の通信モジュール２６０を制御して無線電力送信装置１００に開始信号を送信すると共に、インピーダンスマッチングブロック２２０、電源制御ブロック２５０及び電源ブロック２３０を制御して定電圧又は定電流でバッテリ２４０を充電する機能を有する。
【００４７】
前述した構成を有する本発明の一実施形態によれば、無線充電を開始する前に電源ブロック１３１を非アクティブにし、無線電力受信装置２００からの開始信号により無線電力送信装置１００の電源ブロック１３１をアクティブにするので、無線電力充電前の待機電力の消費を防止することができる。
【００４８】
以下、前述した構成を有する本発明の一実施形態による共振型無線電力伝送システムにおける無線電力伝送制御方法について図２及び図３に基づいてより詳細に説明する。
【００４９】
図２は本発明の一実施形態による共振型無線電力伝送システムにおける無線電力伝送制御方法の第１例を説明するためのフローチャートである。
【００５０】
図２に示すように、まず、無線電力受信装置２００が無線電力送信装置１００にアクセスし、無線電力送信装置１００に開始信号を送信する（Ｓ２１）。前記開始信号の受信は、近距離通信モジュール１８０により行われてもよい。前記開始信号が受信されると、非アクティブになっていた電源ブロック１３１及びインバータブロック１３０をアクティブにする（Ｓ１１）。次に、無線電力送信信号を無線電力送信装置１００の送信コイル１１０を介して無線電力受信装置２００に送信する。より具体的には、無線電力送信装置１００は、通信モジュール１８０によりＩＤ要求信号を無線電力受信装置２００に送信し、その信号を受信した無線電力受信装置２００は、ＩＤ信号を無線電力送信装置１００に送信する（Ｓ１３、Ｓ２３）。すると、前記ＩＤ信号に基づいて受信コイル２１０と送信コイル１１０が共振するように制御し、その後無線電力信号を送信コイル１１０を介して送信する（Ｓ１５、Ｓ１７）。前記無線電力信号を受信コイル２１０を介して受信した無線電力受信装置２００は、前記無線電力信号を電源ブロック２３０により整流し、定電圧又は定電流の直流電源を出力してバッテリ２４０を充電する（Ｓ２５、Ｓ２７、Ｓ２９）。充電中には充電状態情報を近距離通信モジュール２６０により無線電力送信装置１００に送信し、前記充電状態情報に基づいて、無線電力送信装置１００がインピーダンスマッチングブロック１２０やインバータブロック１３０を制御して適切な周波数及び位相を有する無線電力送信信号を送信するようにすることにより、充電中の充電効率を向上させることができる。
【００５１】
バッテリ２４０の充電が完了すると、無線電力受信装置２００は、満充電信号を近距離通信モジュール２６０により送信し、それを受信した無線電力送信装置１００は、充電準備状態の電源ブロック１３１及びインバータブロック１３０を非アクティブにし、通信モジュール１８０及び送信制御部１９０のみをアクティブにした状態に戻る（Ｓ３１、Ｓ１９）。
【００５２】
上記例は、無線電力受信装置２００のバッテリ２４０が放電されていなくて開始信号を送信できる場合の電力伝送制御方法である。無線電力受信装置２００のバッテリ２４０が放電された場合、すなわち開始信号を送信できない場合の例については図３に基づいて詳細に説明する。
【００５３】
図３は本発明の一実施形態による共振型無線電力伝送システムにおける無線電力伝送制御方法の第２例を説明するためのフローチャートである。
【００５４】
図３に示すように、無線電力受信装置２００は、オブジェクト検知部１７０を動作させて外部物体が充電位置にあるか否かを確認する（Ｓ４１）。もし、外部物体であるオブジェクトが検知されたが、無線電力受信装置２００から開始信号が受信されないと、送信制御部１９０は、アラームモジュール１６０を動作させる（Ｓ４２、Ｓ４３）。ユーザはアラームモジュール１６０の動作により無線充電が行われていないことが分かる。このとき、ユーザはユーザ入力部１５０により無線充電の手動開始のための開始信号を発生させる（Ｓ４４）。送信制御部１９０は、前記開始信号が受信されると、非アクティブになって
いた電源ブロック１３１及びインバータブロック１３０をアクティブにすると共に（Ｓ４５）無線電力送信信号を送信し（Ｓ４６）、それにより、無線電力送信装置１００において図２のように無線充電が行われる（Ｓ５１）。バッテリ２４０が満充電されると、無線電力受信装置２００は、満充電信号を無線電力送信装置１００に送信し（Ｓ５２）、それにより、無線電力送信装置１００は、充電準備状態の電源ブロック１３１及びインバータブロック１３０を非アクティブにし、通信モジュール１８０及び送信制御部１９０のみをアクティブにした状態に戻る（Ｓ４７）。
【００５５】
前述した構成を有する本発明の一実施形態によれば、無線充電を開始する前に電源ブロックを非アクティブにし、無線電力受信装置からの開始信号により無線電力送信装置の電源ブロックをアクティブにするので、無線電力充電前の待機電力の消費を防止することができる。
【００５６】
また、無線電力受信装置のバッテリが放電されて開始信号を送信できない場合も、ユーザの選択により無線充電を開始することができる。
【００５７】
本発明による共振型無線電力伝送システムにおける無線電力伝送制御方法、それを用いる無線電力送信装置、及びそれを用いる無線電力受信装置は、上記実施形態の構成と方法に限定されるものではなく、各実施形態の全部又は一部を選択的に組み合わせて構成することで様々に変形することができる。
【図１】
2019083683.tif 000003
【図２】
2019083683.tif 000004
【図３】
2019083683.tif 000005
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
無線電力伝送システムにおける無線電力伝送制御方法であって、
待機電力の消費を防ぐために、無線電力送信装置の電源ブロック及びインバータブロックの両方がオフにされた場合に電源オフモードに入る段階と、
前記電源オフモードにおいて無線電力受信装置から開始信号を受信する段階と、
前記開始信号に応答して、非アクティブになっていた電源ブロックをアクティブにする段階と、
前記開始信号が受信されると、前記非アクティブになっていた電源ブロックをアクティブにすると共に無線電力送信信号を無線電力送信装置の送信コイルを介して前記無線電力受信装置に送信する段階と、
を含む、無線電力伝送制御方法。
【請求項２】
前記開始信号が、近距離通信モジュールを介して受信される、請求項１記載の無線電力伝送制御方法。
【請求項３】
前記無線電力受信装置の電力送信要求信号を受信する段階をさらに含み、前記無線電力送信信号の前記送信は、前記電力送信要求信号に応答するものである、請求項１記載の無線電力伝送制御方法。
【請求項４】
前記電力送信要求信号が、近距離通信モジュールを介して受信される、請求項３記載の無線電力伝送制御方法。
【請求項５】
前記電力送信要求信号が、共振周波数を説明する情報を含み、前記無線電力送信信号の前記送信が、前記無線電力送信信号の周波数を前記共振周波数に一致させる段階を含む、請求項３記載の無線電力伝送制御方法。
【請求項６】
外部物体が前記無線電力送信装置のオブジェクト検知部を使用して検知されるか否かを判定する段階と、前記外部物体が検知され、前記開始信号が受信されないと、前記無線電力送信装置のアラームモジュールを動作させる段階と、をさらに含む、請求項１記載の無線電力伝送制御方法。
【請求項７】
前記無線電力送信装置のユーザ入力部によって入力された開始信号に応答して、非アクティブになっていた電源ブロックをアクティブにする段階をさらに含む、請求項１記載の無線電力伝送制御方法。
【請求項８】
前記無線電力受信装置から満充電信号を受信する段階と、前記満充電信号に応答して、無線電力送信信号の送信を中止し、アクティブになっていた電源ブロックを非アクティブにする段階と、をさらに含む、請求項１記載の無線電力伝送制御方法。
【請求項９】
前記開始信号に応答して、非アクティブになっていたインバータブロックをアクティブにする段階をさらに含む、請求項１記載の無線電力伝送制御方法。
【請求項１０】
前記満充電信号に応答して、アクティブになっていたインバータブロックを非アクティブにする段階をさらに含む、請求項８記載の無線電力伝送制御方法。
【請求項１１】
無線電力送信装置であって、
無線電力信号を無線電力受信装置に送信するように構成された送信コイルと、
前記無線電力送信装置の電源ブロック及びインバータブロックの両方がオフにされた電源オフモードにおいて前記無線電力受信装置から開始信号を受信するように構成された通信部と、
電力を供給するように構成された電源ブロックと、
待機電力の消費を防ぐために、前記開始信号が前記通信部を介して受信されると前記電源ブロックをアクティブにするように構成され、前記開始信号が受信されると、非アクティブになっていた電源ブロックをアクティブにすると共に前記無線電力送信信号を前記送信コイルを介して前記無線電力受信装置に送信するように構成された送信制御部と、
を含む、無線電力送信装置。
【請求項１２】
前記通信部が、近距離通信モジュールを含む、請求項１１記載の無線電力伝送制御装置。
【請求項１３】
前記通信部が、前記無線電力受信装置から電力送信要求信号を受信するようにさらに構成されており、前記送信制御部が、前記送信要求信号が前記通信部を介して受信されると、前記無線電力受信装置に前記無線電力信号を送信する、請求項１１記載の無線電力伝送制御装置。
【請求項１４】
前記電力送信要求信号が、共振周波数を説明する情報を含み、前記送信制御部が、前記共振周波数に一致する周波数を有するように前記無線電力信号を制御するようにさらに構成された、請求項１３記載の無線電力伝送制御装置。
【請求項１５】
外部物体を検知するように構成されたオブジェクト検知部と、アラームモジュールと、をさらに含み、前記送信制御部が、前記外部物体が前記オブジェクト検知部によって検知されて前記開始信号が受信されないと前記無線電力送信装置の前記アラームモジュールを動作させるようにさらに構成された、請求項１１記載の無線電力伝送制御装置。
【請求項１６】
開始信号を入力するように構成されたユーザ入力部をさらに含み、前記送信制御部が、前記ユーザ入力部の前記開始信号が入力されると前記電源ブロックをアクティブにするようにさらに構成された、請求項１１記載の無線電力伝送制御装置。
【請求項１７】
前記電源ブロックによって供給される直流電力を交流電力に切り替えるように構成されたインバータブロックをさらに含み、前記送信制御部が、前記開始信号が前記通信部を介して受信されると前記インバータブロックをアクティブにするようにさらに構成された、請求項１１記載の無線電力伝送制御装置。
【請求項１８】
前記通信部が、前記無線電力受信装置から満充電信号を受信するようにさらに構成されており、前記送信制御部が、満充電信号が前記通信部を介して受信されると前記電源ブロックを非アクティブにするようにさらに構成された、請求項１１記載の無線電力伝送制御装置。
【請求項１９】
インピーダンスマッチング部をさらに含み、前記送信制御部が、前記インピーダンスマッチング部を使用して前記無線電力信号の前記周波数を制御する、請求項１４記載の無線電力伝送制御装置。
【請求項２０】
無線電力送信信号を受信するように構成された受信コイルと、
前記受信コイルと無線電力送信装置の送信コイルとの間で共振するように構成されたインピーダンスマッチング部と、
前記無線電力送信装置の電源ブロック及びインバータブロックの両方がオフにされた電源オフモードにおいて前記無線電力送信装置に開始信号を送信するように構成された通信モジュールと、
前記インピーダンスマッチング部から電力信号を受信するように、且つ直流電力を出力するように構成された電源ブロックと、
前記電源ブロックを制御するように構成された電力制御ブロックと、
前記電源ブロックからの前記直流電力で充電されるように構成されたバッテリと、前記開始信号を前記無線電力送信装置に送信するように前記通信モジュールを制御するように、且つ無線電力信号が前記無線電力送信装置から受信されると前記バッテリを充電するように前記電力制御ブロックを制御するように構成された受信制御部と、
を含む、無線電力受信装置。